(57)【要約】【要約書】【課題】箸及び箸ケースを衛生上不備がないように水洗い等の処置ができ、且つ、立体的な装飾や複雑な装飾を、洗浄時に洗い落としてしまう事がなく、それにより様々な装飾が可能な形状の箸ケースを提供する。【解決手段】装飾用外側箸ケース１の側面に、収納用内側箸ケース２を閉じた状態で収納可能にする開閉口１ｅを設け、上記外側箸ケース１と結合する固定具３で連結させ更に、上記外側箸ケース１に属する固定弁を、上記内側箸ケース２に属する固定溝をそれぞれ設け、上記開閉口１ｅからスライドさせて挿入し、夫々を連接させるように構成する。このような構成によると、使用時に開けた状態でも上記外側箸ケース１に上記内側箸ケース２が固定され、洗浄時には上記開閉口１ｅから上記内側箸ケース２だけを、フック４ａ，４ｂにより上下部が固定されたまま取り出し洗浄でき、上記外側箸ケース１の装飾を傷付けることなく清潔に安心して使用できる。【選択図】図１
0003140733.tif 000002
【実用新案登録請求の範囲】
【請求項１】
装飾用外側箸ケース（１）に収納用内側箸ケース（２）を収納して固定させるために、それぞれが連接する上記外側箸ケース（１）に属する固定弁（１ａ，１ｂ，１ｃ，１ｄ）と、上記内側箸ケース（２）に属する固定溝（２ａ，２ｂ，２ｃ，２ｄ）をそれぞれ設ける事により、使用時には上記外側箸ケース（１）を開く事で、上記内側箸ケース（２）の上下部を分離させ上記外側箸ケース（１）と同時に開口することができるが、
閉口時にはこの上記内側箸ケース（２）の上下部を固定するためのフック（４ａ，４ｂ）を設ける事で、ずれることなく上下部が固定でき、
更にこの上記内側箸ケース（２）を閉口時に閉じた状態で出し入れするために設けた、上記外側箸ケース（１）の右側面の開閉口（１ｅ）と、開閉口（１ｅ）を上記外側箸ケース（１）に固定させるための固定溝（１ｆ）とフック（１ｇ）を設け、これと結合する固定具（３）で連結させる事により、上記開閉口（１ｅ）からスライドさせて挿入でき、上記外側箸ケース（１）に上記内側箸ケース（２）が収納、固定されることを特徴とする装飾用二重箸ケース。
【請求項２】
装飾用外側箸ケース（１）と収納用内側箸ケース（２）の材質がそれぞれ、プラスチック、金属、木材の何れかであることを特徴とする請求項１記載の装飾用二重箸ケース。
【考案の詳細な説明】
【技術分野】
【０００１】本考案は外食事時に使用される携帯箸の箸ケースに、立体物等の様々な装飾ができる形状の装飾用二重箸ケースに関するものである。
【背景技術】
【０００２】従来の箸ケースは単に本体と蓋で構成され、本体が二重になっているものは存在しない。【０００３】外食時に持ち歩く携帯箸用の箸ケースに関しては、種々の入れ物が考案されている（下記特許文献参照）。【０００４】
【特許文献１】特開２００２−２０９７０６号公報
【特許文献２】特開２００１−２９９５４９号公報
【特許文献３】実開平５−８２３６４号公報
【特許文献４】実登３０６２７７９号公報
【考案の開示】
【考案が解決しようとする課題】
【０００５】しかし、箸ケースは言うまでもなく口に入れるという観点において、歯ブラシ等と同様の衛生用品であり、必ず水洗い等による衛生管理が求められる。従来の箸ケースでは、こういった水洗い等の衛生管理処置から立体的な装飾や、複雑な装飾を洗い落としてしまったり、削ってしまうという難点から、様々なデザインの箸ケースが製作できず、携帯箸の普及に支障をきたしていた。また、装飾物があるが為に洗浄しにくく、衛生面においても十分とはいえない。【０００６】本考案は、上記に鑑みてなされたものであり、箸及び箸ケースを衛生上不備がないように水洗い等の処置ができ、尚且つ、立体的な装飾や複雑な装飾を、洗浄時に洗い落としてしまう事がなく、それにより様々なデザインの物が製作できる形状の箸ケースを提供することを技術的課題とする。
【課題を解決するための手段】
【０００７】上記課題を解決するために、本考案にかかる装飾用二重箸ケースは、装飾用外側箸ケース１の右側面に、収納用内側箸ケース２を閉じた状態で収納可能にする開閉口１ｅと、開閉口１ｅの閉口時に、上記外側箸ケース１に固定させるための固定溝１ｆとフック１ｇを設け、上記外側箸ケース１と結合する固定具３で連結させ更に、使用時に上記外側箸ケース１に上記内側箸ケース２を固定させるための、上記外側箸ケース１に属する固定弁１ａ，１ｂ，１ｃ，１ｄを、上記内側箸ケース２に属する固定溝２ａ，２ｂ，２ｃ，２ｄをそれぞれ設け上記開閉口１ｅからスライドさせて挿入し、それぞれを連接させる事で開けた状態でも、上記外側箸ケース１に上記内側箸ケース２が固定されること及び、上記内側箸ケース２の側面にフック４ａ，４ｂを設ける事により、上記外側箸ケース１から上記内側箸ケース２を取り出す際に上記内側箸ケース２の上下部が固定されることを特徴とする。【０００８】とりわけ、装飾用外側箸ケース１に属する固定弁１ａ，１ｂ，１ｃ，１ｄと、収納用内側箸ケース２に属する固定溝２ａ，２ｂ，２ｃ，２ｄのそれぞれの大きさを合わせることにより、上記外側箸ケース１の側面に設けた上記開閉口１ｅから上記内側箸ケース２をスライドさせ挿入することを容易とする。【０００９】装飾用外側箸ケース１及び収納用内側箸ケース２は、平均的なものから大きなものまで、大体の市販の箸に対応させる大きさとする。
【考案の効果】
【００１０】上記構成によると本考案の装飾用二重箸ケースは、以下に示す効果を奏するものである。【００１１】洗浄時に、装飾用外側箸ケース１から収納用内側箸ケース２の上下部を固定したまま取り出す事により、収納用内側箸ケース２だけをきれいに洗浄する事ができ、完璧な衛生管理を可能にする。【００１２】洗浄するのは収納用内側箸ケース２だけで良いため、装飾用外側箸ケース１には立体的な装飾や、様々なデザインを施す事ができ、人々の需要を呼び起こすような携帯箸ケースが製作可能となる。また、上記外側箸ケース１は洗浄をしなくてもよいため装飾物は傷つきにくい。【００１３】箸使用後においては、直接箸に触れるのは収納用内側箸ケース２だけで良い。【００１４】装飾用外側箸ケース１及び収納用内側箸ケース２は、さまざまな大きさの市販の箸に対応するため、本考案の箸ケースに対応する大きさの箸を新たに購入する必要がなく、経済的にも配慮されている。
【考案を実施するための最良の形態】
【００１５】以下実施例を示して本考案の装飾用二重箸ケースの構成と作用について説明する。
【実施例】
【００１６】図１は本考案にかかる装飾用二重箸ケースの、箸使用時における開口時の様子を示す斜視図である。装飾用外側箸ケース１に属する固定弁１ａ，１ｂ，１ｃ，１ｄに、収納用内側著ケース２に属する固定溝２ａ，２ｂ，２ｃ，２ｄを、それぞれ連接させるようにスライドさせ開閉口１ｅから通し、装飾用外側箸ケース１の中に収納用内側箸ケース２の上下部が分離して収納、固定されている。この構成により、装飾用外側箸ケース１の上部が開口されれば、収納用内側箸ケース２の上部も一緒に連動して開口される構成となっている。装飾用二重箸ケース全体を構成する上での材料としては、プラスチック、木材、ステンレス、金属、その他の材料が考えられるが、所定の強度が確保できればデザイン、形状等により選択しても良い。【００１７】図２は装飾用外側箸ケース１の斜視図である。中の四隅には、装飾用外側箸ケース１に属する固定弁１ａ，１ｂ，１ｃ，１ｄが設けられ、側面には全体を閉じた状態でも開閉可能な開閉口１ｅを固定具３で結合して設置されている。装飾用外側箸ケース１に属するこれらの固定弁１ａ，１ｂ，１ｃ，１ｄはフラットな面に付属部として構成しても、初めから凸部として装飾用外側箸ケース１の型の構成としても良い。また、装飾用外側箸ケース１と開閉口１ｅを結合させる固定具３を取り付ける手段は公知の手段を用いる事ができる。例えば小さなネジで固定する等だ。更に、固定溝１ｆとフック１ｇを設ける事で閉口時に上記開閉口１ｅが誤って開いてしまう事を防ぐ構成とする。【００１８】図３は収納用内側箸ケース２の斜視図である。こちらも中の四隅には、収納用内側箸ケース２に属する固定溝２ａ，２ｂ，２ｃ，２ｄが設けられている。これらの固定溝２ａ，２ｂ，２ｃ，２ｄを初めから凹部として構成する。また、両側面にフック４ａ，４ｂを設けることにより上下部がずれることなく固定される構成とする。【００１９】図４は図３の補図として収納用内側箸ケース２の上下部が分離している状態を示す斜視図である。図３におけるフック４ａ，４ｂを外すことにより簡単に収納用内側箸ケース２の上下部を分離させることができる。【００２０】図５は装飾用外側箸ケース１の平面図である。中には収納用内側箸ケース２が収納されているが、大きさを合わせスライドさせて取り出す時に摩擦が強すぎたり、弱すぎたりしないように構成する。【００２１】図７は図２の装飾用外側箸ケース１をＡ−Ａから見た断面図であり、図８は図３の収納用内側ケース２をＢ−Ｂから見た断面図である。上記したように、開閉口１ｅから装飾用外側箸ケース１の中に収納用内側ケース２をスライドして出し入れでき、尚且つ安定して固定できるように、装飾用外側箸ケース１に属する固定弁１ａ，１ｂ，１ｃ，１ｄと、収納用内側箸ケース２に属する固定溝２ａ，２ｂ，２ｃ，２ｄのそれぞれの大きさをミリ単位で設計、構成する。【００２２】（作用）
以上の構成により、装飾用外側箸ケース１の中に収納用内側箸ケース２の出し入れ、固定が容易にでき、箸の使用の際は装飾用外側箸ケース１を開くと連動して収納用内側箸ケース２も開く。よって実際に使用後の著が触れるのは収納用内側箸ケース２だけで、洗浄時は装飾用外側著ケース１の側面にある開閉口１ｅから取り出し、収納用内側箸ケース２だけを洗浄すれば衛生面でも清潔さが保てる。
また、装飾用外側箸ケース１には洗浄がほぼ不必要であるため、立体的な装飾や、様々なデザインを施す事が可能である。
【産業上の利用可能性】
【００２３】本考案にかかる装飾用二重箸ケースは、装飾やデザインを容易に施す事が可能であるため従来の限られた装飾、デザインしかできなかった携帯箸ケースとは異なり、衛生面も考慮でき、様々な年齢層、好みに合わせたニーズに対応できる。また、外食先等への持ち運びに関しても容易である。そのため、森林伐採の要因の一つに挙げられている割り箸のように、使い捨てではなく繰り返し洗浄して使用でき、割り箸に代わり日常品レベルでの、いわゆるエコグッズとしてその商品価値は極めて高い。また、様々な大きさの箸に対応し、消耗部分である収納用内側箸ケース２のみ交換すれば良いため省コスト化にも貢献し、産業上の利用可能性は絶大である。
【図面の簡単な説明】
【００２４】
【図１】本考案にかかる装飾用二重箸ケースの開口時の様子を示す斜視図である。
【図２】本考案にかかる装飾用二重箸ケースの装飾用外側箸ケースの斜視図である。
【図３】本考案にかかる装飾用二重箸ケースの収納用内側箸ケースの斜視図である。
【図４】図３の上下部の分離時の様子を示す斜視図である。
【図５】本考案にかかる装飾用二重箸ケースの装飾用外側箸ケースの平面図である。
【図６】本考案にかかる装飾用二重箸ケースの収納用内側箸ケースの平面図である。
【図７】図２のＡ−Ａの矢視断面図である。
【図８】図３のＢ−Ｂの矢視断面図である。
【符号の説明】
【００２５】１  装飾用外側箸ケース
１ａ，１ｂ，１ｃ，１ｄ  装飾用外側箸ケースに属する固定弁
１ｅ  開閉口
１ｆ  装飾用外側箸ケースに属する固定溝
１ｇ  開閉口に属するフック
２  収納用内側箸ケース
２ａ，２ｂ，２ｃ，２ｄ  収納用内側箸ケースに属する固定溝
３  固定具
４ａ，４ｂ  収納用内側箸ケースに属するフック
Ａ−Ａ  装飾用外側箸ケースの断面口
Ｂ−Ｂ  収納用内側箸ケースの断面口
【図１】
0003140733.tif 000003
【図２】
0003140733.tif 000004
【図３】
0003140733.tif 000005
【図４】
0003140733.tif 000006
【図５】
0003140733.tif 000007
【図６】
0003140733.tif 000008
【図７】
0003140733.tif 000009
【図８】
0003140733.tif 000010